(57)【要約】【課題】搭載された電子部品の熱を効率的に放出することができ、軽量化・小型化を図ることができるようなプリント配線板、およびその製造方法を提供すること。【解決手段】絶縁層と導体層とが少なくとも１層以上交互に積層されて構成されたプリント配線板１０を、次のように形成する。プリント配線板１０の絶縁層内の特定の領域に金属細管２１を配置し、この金属細管２１の両端の開口部２２をプリント配線板１０の端面に設ける。また、金属細管２１に冷媒を強制的に循環させる。【選択図】図１
2006041025.tif 000002
【特許請求の範囲】
【請求項１】
絶縁層と導体層とが少なくとも１層以上交互に積層されて構成されたプリント配線板において、
前記絶縁層内の特定の領域に金属製の細管が配置されていることを特徴とするプリント配線板。
【請求項２】
前記細管の両端部は、当該プリント配線板の端面または表面まで達しており、該端面または表面に前記細管の開口部が設けられていることを特徴とする請求項１に記載のプリント配線板。
【請求項３】
前記細管の一部は、他の部分に比べて、配線板表面に近接して配置されていることを特徴とする請求項１または請求項２に記載のプリント配線板。
【請求項４】
前記細管は、冷媒が流れる管として設けられていることを特徴とする請求項１〜請求項３のいずれかに記載のプリント配線板。
【請求項５】
当該プリント配線板内の前記細管と、プリント配線板外の外部配管とが前記開口部にて接続され、
前記外部配管により、冷媒循環装置と、冷媒冷却装置と、冷媒タンクとが接続され、
前記循環装置により、冷媒が前記細管と前記外部配管とを循環されることを特徴とする請求項４に記載のプリント配線板。
【請求項６】
前記細管を流れる冷媒は、水、空気、不活性液体、フロンもしくは代替フロン系の液体であることを特徴とする請求項４または請求項５に記載のプリント配線板。
【請求項７】
当該プリント配線板の内部には、前記細管の配置されている部分を除く全部分または一部分に金属層が設けられていることを特徴とする請求項１〜請求項６のいずれかに記載のプリント配線板。
【請求項８】
前記細管の内壁には、凹凸または溝が形成されていることを特徴とする請求項１〜請求項７のいずれかに記載のプリント配線板。
【請求項９】
前記細管は、銅製であることを特徴とする請求項１〜請求項８のいずれかに記載のプリント配線板。
【請求項１０】
前記細管の断面形状は、円形、楕円形、長円形、矩形、菱形、台形、三角形、もしくはこれら各形状の角の部分を丸めた形状、または前記各形状を組み合わせた形状であることを特徴とする請求項１〜請求項９のいずれかに記載のプリント配線板。
【請求項１１】
前記細管の内壁表面には、金属材料または非金属材料からなる防錆保護層が形成されていることを特徴とする請求項１〜請求項１０のいずれかに記載のプリント配線板。
【請求項１２】
前記材料は、クロム、ニッケル、金、または樹脂であることを特徴とする請求項１１に記載のプリント配線板。
【請求項１３】
前記細管の内壁は、該細管に印加された電圧により電気防蝕されていることを特徴とする請求項１〜請求項１０のいずれかに記載のプリント配線板。
【請求項１４】
当該プリント配線板の表面のうち、少なくとも当該プリント配線板に実装される電子部品の下の部分に金属層が形成されていることを特徴とする請求項１〜請求項１３のいずれかに記載のプリント配線板。
【請求項１５】
当該プリント配線板の表面、または当該プリント配線板に実装される電子部品の下の部分に設けられている前記金属層と、
前記細管、または当該プリント配線板の内部に設けられている前記金属層とが、
熱伝導性の高い物質を介して接続されていることを特徴とする請求項１〜請求項１４のいずれかに記載のプリント配線板。
【請求項１６】
用意した２枚の絶縁樹脂板の少なくとも１枚の一方の表面に、完成状態のプリント配線板における金属細管に形成される溝であって、両端が完成状態のプリント配線板の外形まで達している溝を形成する溝加工工程と、
前記溝が内側となるように２枚の絶縁樹脂板を積層接着して内層コア材を形成する積層工程と、
前記内層コア材の内部に形成された空洞を、メッキまたはスパッタにより金属細管として形成する金属化工程と、
前記内層コア材の表面に、配線パターンを形成した後、外形加工を行って金属細管の開口部を形成する仕上げ工程とを含むことを特徴とするプリント配線板の製造方法。
【請求項１７】
用意した３枚の絶縁樹脂板の１枚に、完成状態のプリント配線板における金属細管に形成される貫通穴であって、両端が完成状態のプリント配線板の外形まで達している貫通穴を形成する穴加工工程と、
前記貫通穴が形成された絶縁樹脂板の両面に、残りの２枚の絶縁樹脂板を積層接着して内層コア材を形成する積層工程と、
前記内層コア材の内部に形成された空洞を、メッキまたはスパッタにより金属細管として形成する金属化工程と、
前記内層コア材の表面に、配線パターンを形成した後、外形加工を行って金属細管の開口部を形成する仕上げ工程とを含むことを特徴とするプリント配線板の製造方法。
【請求項１８】
前記用意した絶縁樹脂板の少なくとも１枚は、Ｂステージのプリプレグであることを特徴とする請求項１６または請求項１７に記載のプリント配線板の製造方法。
【請求項１９】
前記用意した絶縁樹脂板の少なくとも１枚には、接着剤が付着されていることを特徴とする請求項１６または請求項１７に記載のプリント配線板の製造方法。
【請求項２０】
前記用意した絶縁樹脂板の少なくとも１枚は、積層後に内層コア材の外側となる面に銅箔が積層された銅張り板であることを特徴とする請求項１６または請求項１７に記載のプリント配線板の製造方法。
【請求項２１】
前記用意した絶縁樹脂板の少なくとも１枚には、積層後に形成される空洞内壁をメッキ処理するための触媒処理が施されていることを特徴とする請求項１６または請求項１７に記載のプリント配線板の製造方法。
【請求項２２】
前記積層工程の前に、前記絶縁樹脂板に形成された溝の内壁に、予めメッキ前処理、触媒処理を行った後、メッキ処理を施して金属層を形成すること特徴とする請求項１６、請求項１８〜請求項２０のいずれかに記載のプリント配線板の製造方法。
【請求項２３】
前記積層工程の前に、前記絶縁樹脂板に形成された溝または貫通穴の壁面部分を含む絶縁樹脂板表面の全部または一部に、予めメッキ前処理、触媒処理を行った後、メッキ処理を施して金属層を形成することを特徴とする請求項１６〜請求項２２のいずれかに記載のプリント配線板の製造方法。
【請求項２４】
前記積層工程の前に、前記絶縁樹脂板に形成された溝または貫通穴の壁面部分を含む絶縁樹脂板表面の全部に、予めメッキ前処理、触媒処理を行った後、メッキ処理を施して金属層を形成し、その後、形成された金属層の不要な部分をエッチング除去することを特徴とする請求項１６〜請求項２２のいずれかに記載のプリント配線板の製造方法。
【請求項２５】
前記絶縁樹脂板として、少なくとも溝を形成する側の面に銅箔が積層されている銅張り積層板を用意し、
前記積層工程の前に、前記銅張り積層板に形成された溝の壁面部分を含む銅張り積層板表面の全部に、予めメッキ前処理、触媒処理を行った後、メッキ処理を施して金属層を形成し、その後、形成された金属層の不要な部分をエッチング除去することを特徴とする請求項１６、請求項１８〜請求項２２のいずれかに記載のプリント配線板の製造方法。
【請求項２６】
前記溝加工工程において、前記絶縁樹脂板に、両端が完成状態のプリント配線板の外形まで達している溝を形成する代わりに、
前記絶縁樹脂板の表面に完成状態のプリント配線板の外形まで達していない溝を形成し、かつ、一方の絶縁樹脂板の溝の両端部に該一方の絶縁樹脂板を貫通する穴を形成することを特徴とする請求項１６、請求項１８〜請求項２５のいずれかに記載のプリント配線板の製造方法。
【請求項２７】
前記穴加工工程において、前記絶縁樹脂板に、両端が完成状態のプリント配線板の外形まで達している貫通穴を形成する代わりに、
前記絶縁樹脂板に完成状態のプリント配線板の外形まで達していない貫通穴を形成し、かつ、該貫通穴の両端部に対応させて、残りの絶縁樹脂板の一方に、該絶縁樹脂板を貫通する穴を形成することを特徴とする請求項１７〜請求項２１、請求項２４、請求項２５のいずれかに記載のプリント配線板の製造方法。
【請求項２８】
前記積層工程において、前記絶縁樹脂板の積層接着を接着剤にて行うことを特徴とする請求項１６〜請求項２７のいずれかに記載のプリント配線板の製造方法。
【請求項２９】
前記積層工程において、前記絶縁樹脂板の積層接着を金属ろうにて行うことを特徴とする請求項２３〜請求項２５のいずれかに記載のプリント配線板の製造方法。
【請求項３０】
前記積層工程の前に、前記金属ろうの層を、電解メッキ、無電解メッキ、溶着、または塗布によって、前記金属層または前記銅箔の表面に形成することを特徴とする請求項２９に記載のプリント配線板の製造方法。
【請求項３１】
前記金属ろうは、無鉛または有鉛の半田であることを特徴とする請求項２９または請求項３０に記載のプリント配線板の製造方法。
【請求項３２】
請求項１〜請求項１５のいずれかに記載のプリント配線板を用いたことを特徴とする電子機器。
【発明の詳細な説明】
【技術分野】
【０００１】
本発明は、放熱機構を備えるプリント配線板、このプリント配線板の製造方法、およびこのプリント配線板を用いた電子機器に関する。
【背景技術】
【０００２】
プリント配線板、および、これに搭載される電子部品の発熱は、電子機器の高機能化、高速化等に伴い増大の一途をたどっている。従来では、高い発熱が問題となるのは、主に電力素子関連であったが、近年では、マイクロコンピュータやグラフィックプロセッサ、メモリチップ等の発熱量が、数ワットから数十ワットになることもある。例えば、マイクロプロセッサのように、７０ワット以上もの電力を消費するものもあり、十分な冷却が行われない場合には、発熱のために、素子の破壊を引き起こす可能性もある。このため、その放熱機構の設計が重要となってきており、放熱機構として強制空冷や、場合によっては水冷が採用されている。
【０００３】
また、電子機器の小型化や高機能化に伴う高密度実装等により、加えて、素子の動作速度が速くなることに伴う動作タイミングが厳しくなることにより、電子部品の冷却や温度の安定化、均一化が重要となってきている。
【０００４】
このため、従来では、プリント配線板の放熱技術として、次のような各種方法が行われている。
【０００５】
高発熱部品に対し、直接、ヒートシンクや空冷ファン、コールドプレート等の空冷機構や水冷機構を取り付けることによって、局所的に冷却する方法があり、また、プリント配線板全体、あるいは、電子機器全体に、ファンや放熱フィン等を取り付けることによって、空気の流れを改善し、全体的に冷却する方法がある。
【０００６】
また、プリント配線板自体に放熱機構を備える方法がある。具体的には、プリント配線板の内部に金属板を配置したり、プリント配線板の裏面に、内部に冷媒を充填したり、空洞にした金属板、ヒートパイプ等を接触させたりすることによって、熱をプリント配線板全体に移送し、局所的に発熱部品が高熱になるのを防いで、プリント配線板全体で放熱を行う方法である。
【０００７】
また、配線パターンや部品の接続リードの設計や配置を適切に行ったり、ヒートシンクと発熱部品との間に良熱伝導材料を介在させたりすることによって、発熱部品からヒートシンクへ熱を流れやすくする方法がある。
【０００８】
さらに、冷媒を入れた樹脂製のバッグを直接に発熱部品に接触させる方法、プリント配線板自体を、例えばフロリナートのような不活性液体に浸ける方法、冷媒を流す配管をプリント配線板表面に配置する方法が知られている。
【０００９】
上記のようなプリント配線板ユニットの放熱技術、あるいはその他の方法の一例として、下記特許文献１、２や、次に示すような技術が知られている。
【００１０】
特開昭５８−１８８１８８号公報、特開昭５８−１７１８９９号公報、特開昭５８−２１８９９号公報、特開昭５８−４３５９６号公報、特開昭５８−１４０２００号公報、特開昭５８−９３９０号公報、特開昭５８−９３９３号公報、特開昭５８−１４５９２号公報、特開平６−６１６７４号公報、特開平６−１８１３９０号公報、特開平６−１８１３９６号公報、特開平５−１３９７３号公報、特開平２−１５５２８８号公報、特開平４−３０７８００号公報、特開平５−２５９６７７号公報、特開平６−１５２１７２号公報、特開平４−３６１５９４号公報、実開昭５８−８５３７６号公報、実開昭５８−８１９９６号公報、実開昭５８−２２７９３号公報、特開昭５８−５３８５４号公報、特開昭６０−１５９９５号公報。
【００１１】
【特許文献１】特開平６−３５０２７８
【特許文献２】特開２００１−６８８７８
【発明の開示】
【発明が解決しようとする課題】
【００１２】
このように、電子部品の十分な冷却や温度の安定化、均一化を図るために、従来では、プリント配線板の放熱技術には、各種の方法が用いられていたが、次のような問題点があった。
【００１３】
上述したプリント配線板自体、または、これに搭載される発熱部品に、ヒートシンクや空冷ファン等を取り付けて冷却する方法では、巨大なヒートシンクや大型ファンを取り付けることが一般的になっており、場合によって、空冷のヒートシンクの代わりに、ヒートシンク内に冷媒を流し、プリント配線板外部に設置したラジエータで冷媒を冷却する水冷／液冷のものが用いられることがあった。しかしながら、ヒートシンクやファンの大型化等のため、騒音の発生や、機器小型化の阻害、重量の増加等の問題点がある。加えて、大きなスペースが必要となったり、取扱性の悪化やコスト高、組立性の悪化という問題があった。
【００１４】
また、冷媒を流す配管を予め金属管等で作り、これを樹脂等でモールドし、これを配線板の基材として用いることも可能ではあるが、スルホール等の位置を避けるように、その都度、配管設計を行い、これを内蔵した樹脂板を作るのは、プリント配線板の製造の直前に配線パターンが決まることに鑑みると、工程的・日程的・費用的にみて実用的ではなかった。
【００１５】
本発明は、上述した従来技術の問題点を鑑みてなされたものであり、搭載された電子部品の熱を効率的に放出することができ、軽量化・小型化を図ることができるようなプリント配線板、およびその製造方法を提供することを目的とする。
【課題を解決するための手段】
【００１６】
本発明は、上述の課題を解決するための手段を以下のように構成している。すなわち、本発明のプリント配線板は、絶縁層と導体層とが少なくとも１層以上交互に積層されて構成されたプリント配線板において、前記絶縁層内の特定の領域に金属製の細管が配置されていることを特徴とする。より具体的には、前記細管の両端部は、当該プリント配線板の端面または表面まで達しており、該端面または表面に前記細管の開口部が設けられていることを特徴とする。ここで、前記細管の一部を、他の部分に比べて、配線板表面に近接して配置してもよい。
【００１７】
このような構成のプリント配線板によれば、プリント配線板のすべての構成材料が、通常のプリント配線板の製造に用いる材料と同じであり、かつ、通常のプリント配線板の工程と略同様であるため、プリント配線板を容易に製造できるとともに、プリント配線板の電子部品の実装時の耐熱性や、使用時の絶縁特性等、ほとんど全ての性能を、従来のプリント配線板と同等に確保できる。
【００１８】
また、従来の巨大なヒートシンクや大型ファンを取り付ける構成と比べて、全体的に軽量化・小型化・スリム化（薄型化）を図ることができる。さらに、搭載される電子部品に対して、大型のヒートシンクや冷却デバイスを直接取り付けないため、プリント配線板や電子部品に対するストレスが少なくなる。
【００１９】
また、本発明のプリント配線板において、前記細管は、冷媒が流れる管として設けられていることを特徴とする。より具体的には、当該プリント配線板内の前記細管と、プリント配線板外の外部配管とが前記開口部にて接続され、前記外部配管により、冷媒循環装置と、冷媒冷却装置と、冷媒タンクとが接続され、前記循環装置により、冷媒が前記細管と前記外部配管とを循環されることを特徴とする。ここで、前記細管を流れる冷媒は、水、空気、不活性液体、フロンもしくは代替フロン系の液体である。
【００２０】
このような構成のプリント配線板によれば、プリント配線板に実装された電子部品が発熱すると、この熱が絶縁樹脂層を通って、細管内の冷媒に伝達される。熱を吸収した冷媒は、冷媒循環装置により、細管を流れ、開口部を経てプリント配線板の外部へ送られる。プリント配線板の外部では、外部配管を流れて冷媒冷却装置に至り、この冷媒冷却装置での熱交換により熱が外部へ放出され、冷媒が冷却される。冷却された冷媒は、外部配管を流れ、開口部を経て、再びプリント配線板の細管へ送られる。このように、循環装置により冷媒を強制的に循環させることによって、プリント配線板の内部で熱を吸収し、プリント配線板の外部で熱を放出するというサイクルが繰り返される。これにより、プリント配線板の電子部品が発した熱を、効率的にプリント配線板の外部へ放出できる。
【００２１】
また、本発明のプリント配線板の内部には、前記細管の配置されている部分を除く全部分または一部分に金属層が設けられていることを特徴とする。
【００２２】
このような構成のプリント配線板によれば、絶縁樹脂板を積層して内層コア材を形成すると、内層コア材の内部には、ヒートコレクタとしての金属層が形成される。これにより、プリント配線板において、効率よく熱を外部へ放出できる一方、細管内の冷媒の流速や、細管の配置を工夫することによって、プリント配線板全体の温度を均一化することができる。そして、プリント配線板全体の温度を均一化することで、例えば、特に高熱を発する電子部品があるなど、温度係数が異なる素子で構成された回路を安定動作させることができる。
【００２３】
また、本発明のプリント配線板において、前記細管の内壁には、凹凸や溝が形成されていることを特徴とする。
【００２４】
このような構成のプリント配線板によれば、細管の内壁の凹凸や溝により、細管の内壁の表面積を増やしたり、細管内の冷媒の流れに渦や乱流を起こしたりして放熱効率を上げることができる。
【００２５】
また、本発明のプリント配線板において、前記細管は銅製であることを特徴とする。つまり、熱伝導性の高い銅で細管の内壁を形成して、搭載電子部品等の熱を効率的に放出するようにしている。
【００２６】
また、本発明のプリント配線板において、前記細管の断面形状を、円形、楕円形、長円形、矩形、菱形、台形、三角形、もしくはこれら各形状の角の部分を丸めた形状、または前記各形状を組み合わせた形状としてもよい。
【００２７】
また、本発明のプリント配線板において、前記細管の内壁表面には、金属材料または非金属材料からなる防錆保護層が形成されていることを特徴とする。より具体的には、前記材料は、クロム、ニッケル、金、または樹脂であることを特徴とする。つまり、防錆メッキを施すという一般的な方法によって、細管の内壁が錆び付くのを防止している。
【００２８】
また、本発明のプリント配線板において、前記細管の内壁は、該細管に印加された電圧により電気防蝕されていることを特徴とする。すなわち、上述した防錆メッキを施す方法では、銅等の熱伝導性の高い材料で細管を形成しても、防錆皮膜の材料としてクロムやニッケルを用いると熱伝導を却って妨げてしまう。これに対して、上記のような構成のプリント配線板によれば、細管の熱伝導性を悪化させることなく、細管の内壁が錆び付きを防止できる。
【００２９】
また、本発明のプリント配線板の表面のうち、少なくとも当該プリント配線板に実装される電子部品の下の部分に金属層が形成されていることを特徴とする。
【００３０】
このような構成のプリント配線板によれば、プリント配線板の表面のうち電子部品の下の部分においては、搭載電子部品からの熱を効率的に細管へ伝達できる。
【００３１】
また、本発明のプリント配線板において、その表面、または前記電子部品の下の部分に金属層が設けられている場合における該金属層と、前記細管、または当該プリント配線板の内部に設けられている前記金属層とが、熱伝導性の高い物質を介して接続されていることを特徴とする。この場合、プリント配線板の表面とは、部品搭載部およびその近傍の部分である。熱伝導性の高い物質は、例えばサーマルスルホール等に充填される。
【００３２】
このように、熱伝導性の高い物質を介してプリント配線板の表面と内部とを熱的に結合することで、プリント配線板の表面に搭載された電子部品からの熱を、効率よくプリント配線板の内部の細管や金属層（ヒートコレクタ）へ伝達できる。
【００３３】
本発明のプリント配線板の製造方法は、用意した２枚の絶縁樹脂板の少なくとも１枚の一方の表面に、完成状態のプリント配線板における金属細管に形成される溝であって、両端が完成状態のプリント配線板の外形まで達している溝を形成する溝加工工程と、前記溝が内側となるように２枚の絶縁樹脂板を積層接着して内層コア材を形成する積層工程と、前記内層コア材の内部に形成された空洞を、メッキまたはスパッタにより金属細管として形成する金属化工程と、前記内層コア材の表面に、配線パターンを形成した後、外形加工を行って金属細管の開口部を形成する仕上げ工程とを含むことを特徴とする。
【００３４】
このようなプリント配線板の製造方法によれば、プリント配線板のすべての構成材料が、通常のプリント配線板の製造に用いる材料と同じであり、かつ、通常のプリント配線板の工程と略同様であるため、プリント配線板を容易に製造できるとともに、プリント配線板の電子部品の実装時の耐熱性や、使用時の絶縁特性等、ほとんど全ての性能を、従来のプリント配線板と同等に確保できる。また、従来の巨大なヒートシンクや大型ファンを取り付ける場合と比べて、全体的に軽量化・小型化・スリム化（薄型化）を図ることができる。
【００３５】
本発明のプリント配線板の製造方法は、用意した３枚の絶縁樹脂板の１枚に、完成状態のプリント配線板における金属細管に形成される貫通穴であって、両端が完成状態のプリント配線板の外形まで達している貫通穴を形成する穴加工工程と、前記貫通穴が形成された絶縁樹脂板の両面に、残りの２枚の絶縁樹脂板を積層接着して内層コア材を形成する積層工程と、前記内層コア材の内部に形成された空洞を、メッキまたはスパッタにより金属細管として形成する金属化工程と、前記内層コア材の表面に、配線パターンを形成した後、外形加工を行って金属細管の開口部を形成する仕上げ工程とを含むことを特徴とする。
【００３６】
このようなプリント配線板の製造方法によれば、上述の２枚の絶縁樹脂板を用意する場合と略同様の作用効果を奏する。また、２枚の絶縁樹脂板を用意する場合と比べると、３枚全ての絶縁樹脂板に対して溝加工を行う必要がなく、しかも、絶縁樹脂板への穴加工は金型加工で可能であるため、絶縁樹脂板に対する加工を容易に行うことができる。さらに、絶縁樹脂板を積層接着する際にも、上述の２枚の絶縁樹脂板を用意する場合には、２枚の絶縁樹脂板の溝位置を確実に位置合わせをする必要があるのに対して、このような位置合わせの必要がなくなり、したがって、量産性に優れる。
【００３７】
また、本発明のプリント配線板の製造方法において、前記用意した絶縁樹脂板の少なくとも１枚は、半硬化（Ｂステージ）のプリプレグであってもよい。また、用意した絶縁樹脂板の少なくとも１枚には、接着剤が付着されていてもよい。また、用意した絶縁樹脂板の少なくとも１枚は、積層後に内層コア材の外側となる面に銅箔が積層された銅張り板であってもよい。また、用意した絶縁樹脂板の少なくとも１枚には、積層後に形成される空洞内壁をメッキ処理するための触媒処理を施していてもよい。
【００３８】
また、本発明のプリント配線板の製造方法において、前記積層工程の前に、前記絶縁樹脂板に形成された溝の内壁に、予めメッキ前処理、触媒処理を行った後、メッキ処理を施して金属層を形成すること特徴とする。
【００３９】
また、本発明のプリント配線板の製造方法において、前記積層工程の前に、前記絶縁樹脂板に形成された溝または貫通穴の壁面部分を含む絶縁樹脂板表面の全部または一部に、予めメッキ前処理、触媒処理を行った後、メッキ処理を施して金属層を形成することを特徴とする。
【００４０】
このようなプリント配線板の製造方法によれば、絶縁樹脂板を積層して内層コア材を形成すると、内層コア材の内部には、ヒートコレクタとしての金属層が形成される。これにより、プリント配線板において、効率よく熱を外部へ放出できる一方、金属細管内の冷媒の流速や、金属細管の配置を工夫することによって、プリント配線板全体の温度を均一化することができる。そして、プリント配線板全体の温度を均一化することで、例えば、特に高熱を発する電子部品があるなど、温度係数が異なる素子で構成された回路を安定動作させることができる。
【００４１】
また、本発明のプリント配線板の製造方法において、前記積層工程の前に、前記絶縁樹脂板に形成された溝または貫通穴の壁面部分を含む絶縁樹脂板表面の全部に、予めメッキ前処理、触媒処理を行った後、メッキ処理を施して金属層を形成し、その後、形成された金属層の不要な部分をエッチング除去することを特徴とする。
【００４２】
このようなプリント配線板の製造方法によれば、絶縁樹脂板を積層して内層コア材を形成すると、内層コア材の内部には、ヒートコレクタとしての金属層が形成される。これにより、プリント配線板において、効率よく熱を外部へ放出できる一方、金属細管内の冷媒の流速や、金属細管の配置を工夫することによって、プリント配線板全体の温度を均一化することができる。
【００４３】
また、本発明のプリント配線板の製造方法において、前記絶縁樹脂板として、少なくとも溝を形成する側の面に銅箔が積層されている銅張り積層板を用意し、前記積層工程の前に、前記銅張り積層板に形成された溝の壁面部分を含む銅張り積層板表面の全部に、予めメッキ前処理、触媒処理を行った後、メッキ処理を施して金属層を形成し、その後、形成された金属層の不要な部分をエッチング除去することを特徴とする。
【００４４】
このようなプリント配線板の製造方法によれば、銅張り積層板を積層して内層コア材を形成すると、内層コア材の内部には、ヒートコレクタとしての金属層が形成される。これにより、プリント配線板において、効率よく熱を外部へ放出できる一方、金属細管内の冷媒の流速や、金属細管の配置を工夫することによって、プリント配線板全体の温度を均一化することができる。
【００４５】
また、本発明のプリント配線板の製造方法において、前記溝加工工程において、前記絶縁樹脂板に、両端が完成状態のプリント配線板の外形まで達している溝を形成する代わりに、前記絶縁樹脂板の表面に完成状態のプリント配線板の外形まで達していない溝を形成し、かつ、一方の絶縁樹脂板の溝の両端部に該一方の絶縁樹脂板を貫通する穴を形成してもよい。
【００４６】
また、本発明のプリント配線板の製造方法において、前記穴加工工程において、前記絶縁樹脂板に、両端が完成状態のプリント配線板の外形まで達している貫通穴を形成する代わりに、前記絶縁樹脂板に完成状態のプリント配線板の外形まで達していない貫通穴を形成し、かつ、該貫通穴の両端部に対応させて、残りの絶縁樹脂板の一方に、該絶縁樹脂板を貫通する穴を形成してもよい。
【００４７】
また、本発明のプリント配線板の製造方法において、前記積層工程において、前記絶縁樹脂板の積層接着を接着剤にて行ってもよい。
【００４８】
また、本発明のプリント配線板の製造方法において、前記積層工程において、前記絶縁樹脂板の積層接着を金属ろうにて行ってもよい。より具体的には、前記積層工程の前に、前記金属ろうの層を、電解メッキ、無電解メッキ、溶着、または塗布によって、前記金属層または前記銅箔の表面に形成する。前記金属ろうとしては、無鉛または有鉛の半田が用いられる。
【００４９】
また、本発明の電子機器は、上記のような構成の本発明のプリント配線板を備えている。すなわち、本発明は、プリント配線板に限定されるものではなく、このプリント配線板を適用した電子機器を包含する。
【発明の効果】
【００５０】
本発明は、上述のような構成であるから、冷媒を強制的に循環させることによって、プリント配線板の内部で熱を吸収し、プリント配線板の外部で熱を放出するというサイクルが繰り返され、これにより、プリント配線板の電子部品が発した熱を、効率的にプリント配線板の外部へ放出することができる。また、従来の巨大なヒートシンクや大型ファンを取り付ける構成と比べて、全体的に軽量化・小型化・スリム化（薄型化）を図ることができる。
【００５１】
しかも、プリント配線板のすべての構成材料が、通常のプリント配線板の製造に用いる材料と同じであり、かつ、通常のプリント配線板の工程と略同様であるため、プリント配線板を容易に製造できるとともに、プリント配線板の電子部品の実装時の耐熱性や、使用時の絶縁特性等、ほとんど全ての性能を、従来のプリント配線板と同等に確保できる。
【発明を実施するための最良の形態】
【００５２】
以下、添付図面を参照しながら、本発明の実施の形態について説明し、本発明の理解に供する。なお、以下の実施の形態は、本発明を具体化した一例であって、本発明の技術的範囲を限定する性格のものではない。
【００５３】
［実施形態１］
図１は、実施形態１に係わるプリント配線板を示している。プリント配線板は、絶縁層と導体層とが少なくとも１層以上交互に積層されて形成されており、片面板でも両面板でも多層板であってもよい。図１では、プリント配線板の内層・外層の配線パターンやレジスト、シルク印刷等は図示を省略している。
【００５４】
プリント配線板１０の絶縁層内の特定の領域には、金属製の細管（金属細管）２１が設けられている。金属細管２１は冷媒が流れる細管であり、一方の開口部２２から他方の開口部２２に至っている。金属細管２１の両端の開口部２２は、プリント配線板１０の端面（図１では、側面）に形成されている。この開口部２２に、後述する外部冷却装置が接続される。図１では、金属細管２１は、細長くその一部が屈曲されて形成され、プリント配線板１０の内部の略全域にわたって配置されている。開口部２２は、プリント配線板１０に最低限２つ形成されていればよく、基本的には、金属細管２１の両端に設けられている。
【００５５】
なお、金属細管２１の配置や形状、開口部２２の位置等は限定されず、例えば、金属細管２１をプリント配線板の一部分にのみ形成したり、金属細管２１の一部を他の部分よりもプリント配線板１０の表面に近接して配置するようにしてもよい。また、図２、図３に示すように、プリント配線板１０´の表面に開口部２２´を設けたり、プリント配線板１０´の側面に一方の開口部、表面に他方の開口部を設けるようにしてもよい。
【００５６】
次に、プリント配線板の放熱機構について説明する。図４は、外部冷却装置を取り付けたプリント配線板の冷却システムを模式的に示した図である。
【００５７】
図４に示すように、ラジエータ（冷却装置）４１と、冷媒タンク４２と、循環ポンプ（循環装置）４３が外部配管４４により接続されている。外部配管４４は、プリント配線板１０の開口部２２にて金属細管２１と２箇所で接続されている。金属細管２１と外部配管４４には冷媒が充填されており、冷媒は循環ポンプ４３により強制的に循環させられる。冷媒は、プリント配線板１０内部では、金属細管２１内を流れ、プリント配線板１０外部では、外部配管４４内を流れる。具体的な循環経路は、金属細管２１→一方の開口部２２→外部配管４４→ラジエータ４１→冷媒タンク４２→循環ポンプ４３→外部配管４４→他方の開口部２２→金属細管２１となっている。このように、冷媒がプリント配線板１０の内外を循環する構成となっている。この例では、金属細管２１を流れる冷媒として、水を用いているが、これ以外に、代替フロン、ハイドロフルオロエーテルのような不活性液体等の液体、あるいは、液体以外にも清浄乾燥空気や溶剤蒸気のような気体を用いてもよい。
【００５８】
プリント配線板１０に実装された電子部品が発熱すると、この熱が絶縁樹脂層を通って、金属細管２１内の冷媒に伝達される。熱を受け取った冷媒は、循環ポンプ４３により、金属細管２１を流れ、一方の開口部２２を経てプリント配線板１０の外部へ送られる。プリント配線板１０の外部では、外部配管４４を流れてラジエータ４１に至り、さらに、冷媒タンク４２に送られる。ラジエータ４１での熱交換により熱が外部へ放出され、冷媒が冷却される。冷却された冷媒は、冷媒タンク４２から循環ポンプ４３、外部配管４４を流れ、他方の開口部２２を経て、再びプリント配線板１０の金属細管２１へ送られる。このように、冷媒を循環させることによって、プリント配線板１０の内部で熱を吸収し、プリント配線板１０の外部で熱を放出するというサイクルが繰り返される。これにより、プリント配線板１０の電子部品が発した熱を、プリント配線板１０の外部へ放出している。
【００５９】
次に、プリント配線板（両面配線板）の製造過程について、図５〜図７を用いて説明する。
【００６０】
まず、２枚の絶縁樹脂板１１ａ、１１ｂを用意する（用意工程）。絶縁樹脂板１１ａ、１１ｂは、完成状態におけるプリント配線板１０の層間絶縁層となるものである。なお、絶縁樹脂板１１ａ、１１ｂは、Ｂステージのプリプレグであってもよい。また、絶縁樹脂板１１ａ、１１ｂには、片面（積層後に外側となる面）に銅箔が積層された絶縁樹脂板を用いてもよく、絶縁樹脂板１１ａ、１１ｂの代わりに、適切な触媒層や接着剤層を持つ材料を用いてもよい。なお、絶縁樹脂板１１ａ、１１ｂは、従来のプリント配線板の製造過程の場合と同じように、最終製品（完成状態のプリント配線板）よりも大きなものとなっており、外形加工において実外形位置で切断されて最終製品の大きさになる。このため、場合によっては、いわゆるワークシートに複数の絶縁樹脂板１１ａ、１１ｂが配置されるものであってもよい。
【００６１】
次に、一方の絶縁樹脂板１１ａの片面（銅箔が積層された絶縁樹脂板１１ａを用いる場合には、銅箔のない側）に、レーザー加工、サンドブラスト加工、ミリング等の方法で、図５に示すような溝２１ａを形成する（溝加工工程）。溝２１ａは、細長くその一部が屈曲されて形成されており、その両端は、絶縁樹脂板１１ａの端面まで達している。この溝２１ａが、冷媒が通る金属細管２１となる。ただし、溝２１ａの両端は、完成状態におけるプリント配線板１０の端面（外形）まで達していればよく、したがって、絶縁樹脂板１１ａの端面まで達している必要はない。
【００６２】
また、溝２１ａの形状は特に限定されないが、図５に示すように一部で屈曲して形成されているのは、完成状態のプリント配線板１０に形成される部品脚の取り付け穴、スルホール等を避けるためである。なお、図５では、絶縁樹脂板１１ａの略全面にわたって溝２１ａを形成しているが、例えば、ＣＰＵやチップセット、電源部のように、特定部分のみ発熱が多い場合には、その特定部分に対応した部分だけに溝２１ａを形成するようにしてもよい。
【００６３】
続いて、他方の絶縁樹脂板１１ｂの片面（銅箔が積層された絶縁樹脂板１１ｂを使う場合には、銅箔のない側）に、上述した絶縁樹脂板１１ａの場合と同様にして、溝２１ｂを形成する。この溝２１ｂは、後述のように両絶縁樹脂板１１ａ、１１ｂを貼り合わせたとき、その貼り合わせ面に対して、上記の絶縁樹脂板１１ａの溝２１ａと面対称となるように形成される。
【００６４】
次に、両溝２１ａ、２１ｂの位置合わせをし、両絶縁樹脂板１１ａ、１１ｂを接着剤にて貼り合わせて内層コア材１１を形成する（積層工程）。図６は、両絶縁樹脂板１１ａ、１１ｂを積層接着した状態の断面図、つまり、内層コア材１１の断面図を示している。図４に示すように、内層コア材１１の両絶縁樹脂板１１ａ、１１ｂの間に、接着層１６が形成され、内層コア材１１の内部に、溝２１ａ、２１ｂにより細管（空洞）２６が形成されている。
【００６５】
なお、必要となる細管２６の大きさや、内層コア材１１の厚さ方向の細管仕様によっては、上述した絶縁樹脂板１１ａ、１１ｂの溝加工の過程において、上下に貼り合わせる絶縁樹脂板１１ａ、１１ｂの内、一方には、溝を形成せずに、平面のままで貼り合わせてもよい。また、部分的に溝を形成したり、溝の深さを変えたりしてもよい。
【００６６】
こうして形成された内層コア材１１に、必要に応じてスルホール穴加工を施し、その後、適切なメッキ前処理、無電解・電解メッキ処理を施して、図７に示すようなスルホール１５の形成を行うとともに、細管２６内壁の金属化を行って金属層２３を形成する（金属化工程）。このメッキ処理は、スルホール１５を形成する部分と、細管２６内壁とに対して同時に行ってもよく、別々に行ってもよい。また、スルホールと細管２６内壁とでメッキ金属を変えてもよい。あるいは、防錆のために、細管２６内壁にさらに別のコーティングを行ってもよい。なお、金属層２３をスパッタ等の方法で形成してもよい。
【００６７】
図７は、パネルメッキ処理を施してスルホール１５を形成するとともに、細管２６内壁の金属化を行い、さらに、細管２６内壁に防錆皮膜としてクロムメッキを施した内層コア材１１の断面図を示している。図７に示すように、細管２６の内壁表面には、金属層２３が形成されており、この細管２６内壁の金属化により、細管２６が金属細管２１となる。このとき、熱伝導性の高い銅で金属細管２１の内壁をメッキすれば、電子部品等からの熱を効率的に放出できる。なお、この例では、金属細管２１（金属層２３）の防錆皮膜層をクロムにより形成しているが、ニッケル、金、樹脂等の金属材料または非金属材料により形成してもよい。
【００６８】
その後の製造過程は、従来の両面配線板・多層配線板の製造過程と同様である。すなわち、内層コア材１１の表面に、エッチングレジストを形成し、配線パターンをエッチング形成して、さらに、ソルダレジスト印刷、シルク印刷、表面処理、外形加工を施して、プリント配線板１０を完成させる（仕上げ工程）。外形加工によりプリント配線板１０の端面に開口部２２が形成される。
【００６９】
なお、以上の製造過程において、エッチング液等が金属細管２１内に入って、金属細管２１の内壁金属を腐蝕させたり、金属細管２１を詰まらせたりしないように、内層コア材１１端面に形成されている金属細管２１の開口部２２を適当な封止部材で塞いで、金属細管２１を適切に保護するようにしておく。そして、プリント配線板１０に電子部品等の実装を行った後、保護用の封止部材を取り除く。
【００７０】
さらに、多層配線板を製造する場合には、上述のように配線パターンが形成された両面配線板を内層コア材として、従来より知られている方法で、この両面配線板に絶縁層と導体層を重ねて形成することによって製造する。多層化手法としては、ビルドアップ法を用いることができる。
【００７１】
以上のようにして、製造されたプリント配線板１０には、図１に示すように、端面（側面）に開口部２２が設けられている。この開口部２２に、上述した外部配管４４が接続される。なお、図２、図３に示すように、プリント配線板１０´の表面に開口部２２´を設けてもよい。開口部２２´をプリント配線板１０´の表面に設ける場合には、絶縁樹脂板１１ａの溝加工の時点で、その位置に一方の絶縁樹脂板１１ａに貫通穴を形成するか、スルホール穴加工の時点で一方の絶縁樹脂板１１ａに貫通穴を形成すればよい。
【００７２】
図８は、溝加工の時点で貫通穴２４を形成した絶縁樹脂板１１ａの断面図を示している。絶縁樹脂板１１ａの表面に形成された溝２１ａは、完成状態におけるプリント配線板１０の外形（端面）まで達していない。この溝２１ａの両端に貫通穴２４が形成されており、絶縁樹脂板１１ａの表裏を貫通している。このように形成された貫通穴２４に上述したようなメッキ処理等が施されて、プリント配線板１０の表面に形成される金属細管２１の開口部２２´となる。なお、この場合、貫通穴２４は、他方の絶縁樹脂板１１ｂには形成せずに一方の絶縁樹脂板１１ａにのみ形成し、また、絶縁樹脂板１１ｂの溝２１ｂは、完成状態におけるプリント配線板１０の外形（端面）まで達しないように形成する。
【００７３】
上述したようなプリント配線板１０の製造方法によれば、プリント配線板１０のすべての構成材料が、通常のプリント配線板の製造に用いる材料と同じであり、かつ、通常のプリント配線板の工程と略同様であるため、プリント配線板１０を容易に製造できるとともに、プリント配線板１０の電子部品の実装時の耐熱性や、使用時の絶縁特性等、ほとんど全ての性能を、従来のプリント配線板と同等に確保できる。
【００７４】
以上のような構成のプリント配線板１０によれば、プリント配線板１０に実装された電子部品が発熱すると、この熱が絶縁樹脂層を通って、金属細管２１内の冷媒に伝達される。熱を吸収した冷媒は、金属細管２１を流れ、一方の開口部２２を経てプリント配線板１０の外部へ送られる。プリント配線板１０の外部では、外部配管４４を流れてラジエータ４１に至り、さらに、冷媒タンク４２に送られる。ラジエータ４１での熱交換により熱が外部へ放出され、冷媒が冷却される。冷却された冷媒は、冷媒タンク４２から循環ポンプ４３、外部配管４４を流れ、他方の開口部２２を経て、再びプリント配線板１０の金属細管２１へ送られる。このように、循環ポンプ４３により冷媒を強制的に循環させることによって、プリント配線板１０の内部で熱を吸収し、プリント配線板１０の外部で熱を放出するというサイクルが繰り返される。これにより、プリント配線板１０の電子部品が発した熱を、効率的にプリント配線板１０の外部へ放出できる。
【００７５】
また、従来の巨大なヒートシンクや大型ファンを取り付ける構成と比べて、全体的に軽量化・小型化・スリム化（薄型化）を図ることができる。さらに、プリント配線板１０に搭載される電子部品に対して、大型のヒートシンクや冷却デバイスを直接取り付けないため、プリント配線板１０や電子部品に対するストレスが少なくなる。
【００７６】
［実施形態２］
次に、プリント配線板の金属細管を形成する別の例について説明する（実施形態２）。この実施形態２では、３枚の絶縁樹脂板より内層コア材、金属細管を形成する点で上記実施形態１と異なる。図９は、貫通穴が形成された絶縁樹脂板を示す図、図１０は、３枚の絶縁樹脂板より形成された内層コア材を示す図である。なお、上記実施形態１と同じ構成による部分については、説明を省略し、異なる構成による部分について詳しく説明する。
【００７７】
この例では、プリント配線板の製造する過程において、まず、３枚の絶縁樹脂板１１１ａ、１１１ｂ、１１１ｃを用意する（用意工程）。このうち、中間に配置される絶縁樹脂板１１１ｃに、図９に示すような細長くその一部が屈曲された形状の貫通穴１２１ｃを形成し、残りの絶縁樹脂板１１１ａ、１１１ｂには、穴や溝を形成しない（穴加工工程）。絶縁樹脂板１１１ｃに形成された貫通穴１２１ｃは、完成状態のプリント配線板において金属細管１２１となる穴であり、貫通穴１２１ｃの両端が、完成状態におけるプリント配線板の外形（実外形位置）まで達している。なお、完成状態におけるプリント配線板の外形まで達していればよく、絶縁樹脂板１１１ｃの端面まで達している必要はない。
【００７８】
そして、貫通穴１２１ｃが形成された絶縁樹脂板１１１ｃの両面に、穴が形成されていない絶縁樹脂板１１１ａ、１１１ｂを接着剤にてそれぞれ貼り合わせて内層コア材１１１を形成する（積層工程）。こうして３枚の絶縁樹脂板１１１ａ、１１１ｂ、１１１ｃが積層接着されて形成された内層コア材１１１には、その内部に、絶縁樹脂板１１１ｃの貫通穴１２１ｃによる細管（空洞）１２６が形成されている。また、絶縁樹脂板１１１ａ、１１１ｃの間、絶縁樹脂板１１１ｂ、１１１ｃの間にそれぞれ接着層１１６が形成されている。
【００７９】
次に、上記実施形態１の場合と同様にして、パネルメッキ処理が施されてスルホール１１５が形成されるとともに、細管１２６内壁の金属化が行われ（金属化工程）、さらに、細管１２６内壁に防錆皮膜としてクロムメッキが施されて、図１０に示すような内層コア材１１１が形成される。このようにして形成された内層コア材１１１は、接着層１１６の位置を除けば、上記実施形態１で製造された内層コア材１１と略同様の断面形状となっている（図７参照）。つまり、細管１２６の内壁表面には、金属層１２３が形成されており、この細管１２６内壁の金属化により、細管１２６が金属細管１２１となる。その後のプリント配線板の製造過程は、上記実施形態１と同じである。
【００８０】
このような、３枚の絶縁樹脂板より製造されるプリント配線板によれば、上記実施形態１で述べたような利点に加えて、次のような利点がある。すなわち、上記実施形態１の場合と比べると、全ての絶縁樹脂板に対して溝加工を行う必要がなくなり、しかも、絶縁樹脂板１１１ｃへの穴加工は金型加工で可能であるため、絶縁樹脂板に対する加工を容易に行うことができる。また、絶縁樹脂板を積層接着する際に、上記実施形態１の場合には、２枚の絶縁樹脂板の溝位置を確実に位置合わせをする必要があるのに対して、この例では、このような位置合わせの必要がなく、量産性に優れている。ただし、上述の金型加工で絶縁樹脂板１１１ｃに貫通穴１２１ｃを形成する場合には、加工できる穴の幅に限度があるため、形成される金属細管１２１の形状が扁平状になることがある点に注意する。
【００８１】
なお、プリント配線板の表面に金属細管１２１の開口部を設ける場合には、絶縁樹脂板１１１ｃに、両端が完成状態のプリント配線板の外形まで達している貫通穴１２１ｃを形成する代わりに、この絶縁樹脂板１１１ｃに完成状態のプリント配線板の外形まで達していない貫通穴１２１ｃを形成し、かつ、この貫通穴１２１ｃの両端に対応させて、残りの絶縁樹脂板１１１ａ、１１１ｂのいずれか一方に、この絶縁樹脂板を貫通する穴を形成する。このように形成された絶縁性樹脂を貫通する穴に上述したようなメッキ処理等が施されて、プリント配線板の表面に設けられる金属細管１２１の開口部となる。
【００８２】
［実施形態３］
次に、プリント配線板（多層配線板）を製造する手順について詳しく説明する（実施形態３）。図１１は、多層配線板の断面図である。なお、上記実施形態１と同じ構成による部分については同じ符号を付して説明する（図１〜図８参照）。
【００８３】
まず、上記実施形態１と同様の手順にて、２枚の絶縁樹脂板１１ａ、１１ｂに対して溝加工を行い、両絶縁樹脂板１１ａ、１１ｂを貼り合せたものを内層コア材１１として用意する。この場合、絶縁樹脂板１１ａ、１１ｂは、予め外側になる側に銅箔が積層されたものでも、内層コア材１１に形成される細管２６の内壁をメッキする際、同時にメッキするものでもよい。
【００８４】
次に、内層コア材１１の端面に形成された金属細管２１の開口部２２（図１参照、図２、図３の場合には、表面に形成された開口部２２´）を適当な封止部材で塞ぐ。このとき、封止部材を後の工程で取り除くことができるような方法で開口部２２を塞ぐようにする。このように開口部２２を塞ぐことによって、この後の工程で、金属細管２１内にインクや処理液、樹脂等が進入して、開口部２２や金属細管２１内が汚染、腐蝕、閉塞されることを防ぐようにしている。なお、プリント配線板を複数まとめてワーク形態で加工する場合や、単体であっても少なくとも金属細管２１の開口部２２側に捨て板が存在する場合には、開口部２２を完全に永久閉塞しまってもよい。これは、多層配線板２００の外形加工を行うときに、開口部２２を塞いだ位置よりも内側（配線板側）の多層配線板２００の実外形位置で切断を行うため、塞いだ部分も切断され、金属細管２１に新たな開口が形成されるからである。
【００８５】
次に、内層コア材１１にスルホールをまだ形成しておらず、かつ、内層にインナーバイアホールを形成する場合には、その位置にドリル加工やレーザー加工等で穴を開けて、パネルメッキを行う。この状態の内層コア材１１の断面形状は、上記実施形態１の場合と同同じものになる（図７参照）。一方、内層コア材１１を形成した時点で、すでにこの工程を行っている場合は、この穴加工、メッキ処理は不要である。
【００８６】
次に、内層コア材１１の表面に、エッチングレジストを形成し、内層パターンをエッチング形成する。この後の工程は、上記実施形態１で述べたように、従来の多層配線板を製造する工程と同様である。すなわち、上記工程を経て内層パターンが形成された内層コア材１１を用いて、この内層コア材１１の両面にプリプレグと銅箔を積層し、回路をエッチングする方法や、絶縁層の形成、バイアホール加工、メッキ処理、エッチング処理を繰り返すビルドアップ法等が利用できる。
【００８７】
図９は、ビルドアップ法を用いて製造した多層配線板の断面図を示している。図９では、ソルダレジスト等、外層配線層より外側の層の図示を省略している。ビルドアップ法を用いて製造した多層配線板２００においては、内層コア材１１の両面に内層パターン３１が形成され、内層コア材１１に積層されたビルドアップ絶縁層３２の両面に外層パターン３３が形成されている。また、インナーバイアホール３５、バイアホール３６が形成されている。
【００８８】
［実施形態４］
次に、プリント配線板内部に設けられる金属細管の形状を変更した例について説明する（実施形態４）。なお、上記実施形態１と同じ構成による部分については同じ符号を付して説明する（図１〜図８参照）。
【００８９】
この例の金属細管２１の壁面には、図１２に示すように、多数の細かい溝２５が形成されている。このような溝２５を金属細管２１に形成するには、上記実施形態１で述べた絶縁樹脂板１１ａ、１１ｂに溝２１ａ、２１ｂを形成する際に、この溝２１ａ、２１ｂの壁面に多数の細かい溝を、レーザー加工等で形成しておく。このように溝２１ａ、２１ｂの壁面に形成された細かい溝は、細管２６内壁を金属メッキする際に、金属細管２１の溝２５として形成される。なお、溝２５の代わりに、数十ミクロン〜数百ミクロンの細かい凹凸を設けてもよい。
【００９０】
プリント配線板１０において冷媒を強制的に循環させると、金属細管２１が細長く形成されているため、金属細管２１内では、冷媒は比較的静かに流れ、その流れが層流になる可能性が高い。このため、金属細管２１の表面付近では冷媒があまり流れていなかったり、流速の異なる各層間での熱移動が少なかったりすることによって、流れている冷媒の一部しか熱移送に有効に関わらないという問題や、効率よく金属細管２１から冷媒へ熱が伝達されないという問題が起こる可能性がある。
【００９１】
しかしながら、この例では、金属細管２１の壁面に細かい溝２５を形成することで、冷媒が金属細管２１を流れる際に、冷媒の流れに渦や乱流を発生させたり、金属細管２１の熱伝達に関わる表面積を増加させたりすることができ、これにより、金属細管２１による熱の移送効率を向上させることができる。
【００９２】
［実施形態５］
次に、プリント配線板に金属細管を形成する別の手順について説明する（実施形態５）。この実施形態５では、細管内壁の金属メッキを絶縁樹脂板の積層よりも先に行う点で上記実施形態１と異なる。図１３は、溝に銅メッキと防錆用のコーティングが施された絶縁樹脂板の断面図である。なお、上記実施形態１と同じ構成による部分については、説明を省略し、異なる構成による部分について詳しく説明する。
【００９３】
図１３に示すように、絶縁樹脂板３１１ａの溝３２１ａには、銅メッキ３２３とニッケルメッキ３２４が形成されている。絶縁樹脂板３１１ａに溝３２１ａを形成した後、溝３２１ａの内壁に適切なメッキ前処理、触媒処理を施し、メッキ処理を施して、溝３２１ａに銅メッキ３２３を形成する。さらに、防錆のためのコーティングを施して、銅メッキ３２３の上に、防錆皮膜としてのニッケルメッキ３２４を薄く形成する。この例では、溝３２１ａをメッキする金属、つまり、内層コア材の金属細管を構成する金属には、熱伝導性を考慮して銅を用いている。なお、防錆皮膜は、ニッケル以外に、クロムや金、樹脂を用いて形成してもよい。
【００９４】
このようなメッキ処理をもう一方の絶縁樹脂板３１１ｂの溝３２１ｂに対しても行った後、両絶縁樹脂板３１１ａ、３１１ｂを積層して内層コア材を形成する。内層コア材の内部には、銅メッキ３２３とニッケルメッキ３２４が形成された溝３２１ａ、３２１ｂにより金属細管が形成される。
【００９５】
［実施形態６］
次に、プリント配線板の内部に金属層（ヒートコレクタ）を設ける例について説明する（実施形態６）。図１４は、金属層が形成された絶縁樹脂板の斜視図、図１５は、内部に金属層が設けられた内層コア材の断面図である。なお、上記実施形態１と同じ構成による部分については、説明を省略し、異なる構成による部分について詳しく説明する。
【００９６】
図１４に示すように、絶縁樹脂板４１１ａの表面には、ヒートコレクタとして金属層４２５が形成されている。絶縁樹脂板４１１ａに溝４２１ａを形成した後、溝４２１ａが形成された部分を含む絶縁樹脂板４１１ａ表面のうち、次の部分４２６、４２７を除く全部分または必要部分に、後述する方法で金属層４２５を形成する。
【００９７】
絶縁樹脂板４１１ａの表面には、金属層４２５を形成しない第１の部分４２６、第２の部分４２７がある。第１の部分４２６は、プリント配線板において、電子部品を搭載しない部分や、プリント配線板実外形位置よりも外側の捨て板の部分である。第２の部分４２７は、バイアホールやスルホール、部品取り付け穴等とその周囲の部分であり、バイアホール、スルホール等が接触して短絡するのを防止するために金属層４２５を形成しないようにしている。
【００９８】
絶縁樹脂板４１１ａに金属層４２５を形成する方法には、絶縁樹脂板４１１ａに溝４２１ａを形成した後、金属層４２５が不要な部分４２６、４２７に相当する部分にメッキレジストを形成し、適切な前処理、触媒処理、活性化処理を施した後、メッキを行う方法がある。溝４２１ａを形成した絶縁樹脂板４１１ａの表面に全面メッキを行った後、金属層４２５が不要な部分４２６、４２７をエッチングによって除去する方法を用いてもよい。また、ヒートコレクタ部分の金属層４２５を厚く形成してより効率よく熱を集めるためや、メッキ処理を容易にするため等に、絶縁樹脂板４１１ａとして、少なくとも溝を形成する側の面に予め銅箔が積層されている銅張り積層板を用いるようにしてもよい。
【００９９】
このような金属層４２５をもう一方の絶縁樹脂板４１１ｂに対しても形成した後、両絶縁樹脂板４１１ａ、４１１ｂを積層して内層コア材４１１を形成する。内層コア材４１１の内部には、金属細管４２１とヒートコレクタとしての金属層４２５とが形成される。この例では、両絶縁樹脂板４１１ａ、４１１ｂの互いの接着面に金属層４２５が形成されているため、接着剤以外にも、金属ろうを用いて接着することができる。例えば、金属層４２５の表面に予め、電解メッキ、無電解メッキ、溶着、塗布等の方法で、半田の層を薄く形成した後、この面を互いに接触させるように２枚の絶縁樹脂板４１１ａ、４１１ｂを積層した後、加圧・加熱して接着する。半田には、高融点の無鉛または有鉛のものが用いられる。
【０１００】
図１５は、上述の銅張り積層板を用いた場合の内層コア材の断面図を示している。内層コア材４１１の内部には、ヒートコレクタとして、銅張り積層板に予め積層してあった銅箔層４２４と、メッキ等により形成された金属層４２５とが配置されている。金属層４２５は、隣り合う２つの金属細管４２１（金属層４２３）を繋ぐように設けられている。上述したように、絶縁樹脂板４１１ａの表面には、金属層４２５の不要な部分４２６、４２７を除く全部分または一部分に、金属層４２５を形成するため、内層コア材４１１の内部には、金属細管４２１の配置されている部分を除く全部分または一部分に金属層４２５が設けられている。
【０１０１】
このように、内層コア材４１１の内部に金属層４２５を設けることで、プリント配線板において、効率よく熱を外部へ放出できる一方、金属細管４２１内の冷媒の流速や、金属細管４２１の配置を工夫することによって、プリント配線板全体の温度を均一化することができる。そして、プリント配線板全体の温度を均一化することで、例えば、特に高熱を発する電子部品があるなど、温度係数が異なる素子で構成された回路を安定動作させることができる。
【０１０２】
なお、上記実施形態２のように、３枚の絶縁樹脂板より内層コア材を形成する場合には、次のようにして、内層コア材の内部に、ヒートコレクタとしての金属層を形成する。すなわち、３枚の絶縁樹脂板の積層前に、絶縁樹脂板に形成された貫通穴の壁面部分を含む絶縁樹脂板表面の全部または一部に金属層を形成する。この場合にも、絶縁樹脂板に貫通穴を形成した後、金属層が不要な部分に相当する部分にメッキレジストを形成し、適切な前処理、触媒処理、活性化処理を施した後、メッキ処理を行う方法や、貫通穴を形成した絶縁樹脂板の表面に全面メッキを行った後、金属層が不要な部分をエッチングによって除去する方法を用いることができる。
【０１０３】
［実施形態７］
次に、プリント配線板にサーマルパッド、サーマルスルホール等を設ける例について説明する（実施形態７）。図１６は、完成状態のプリント配線板の断面図である。図１６では、プリント配線板のレジスト、シルク印刷等は図示を省略している。なお、上記実施形態１と同じ構成による部分については、説明を省略し、異なる構成による部分について詳しく説明する。
【０１０４】
図１６に示すように、プリント配線板５００の部品搭載部Ａには、サーマルパッド５２６を介して電子部品Ｅが搭載されている。サーマルパッド５２６は、電子部品Ｅが搭載される部品搭載部Ａに設けられ、プリント配線板５００の配線パターンのエッチング形成と同時に形成される。この例では、サーマルパッド５２６は銅箔で形成されている。なお、サーマルパッド５２６を熱伝導性の高いシリコンシート等で形成して、プリント配線板５００と電子部品Ｅとの間に挟み込むように配置してもよい。また、銅箔とシリコンシートを組み合わせて用いてもよい。
【０１０５】
プリント配線板５００（内層コア材５１１）の内部には、金属細管５２１と、上記実施形態６で述べたヒートコレクタ５２５が設けられている。ヒートコレクタ５２５は、隣り合う２つの金属細管５２１を繋ぐように設けられている。また、プリント配線板５００には、スルホール５１５とサーマルスルホール５２７が形成されている。
【０１０６】
サーマルスルホール５２７は、サーマルパッド５２６とヒートコレクタ５２５との間、およびサーマルパッド５２６と金属細管５２１との間に介装されている。サーマルスルホール５２７には、熱伝導性の高い物質が充填されている。つまり、サーマルスルホール５２７を介して、電子部品Ｅが搭載されるサーマルパッド５２６と、ヒートコレクタ５２５および金属細管５２１とが接続されている。なお、この例では、プリント配線板５００にサーマルパッド５２６とサーマルスルホール５２７を両方設けているが、いずれか一方のみを設けるようにしてもよい。また、サーマルスルホール５２７を設けずに、サーマルパッド５２６と、ヒートコレクタ５２５および金属細管５２１とを、熱伝導性の高い物質で接続するようにしてもよい。
【０１０７】
サーマルスルホール５２７は、通常のスルホール５１５の場合と同様の方法で形成することができ、プリント配線板５００の配線パターンを形成する過程で、スルホール５１５とともに形成される。なお、配線パターンに利用するスルホール５１５が、内層コア材５１１の内部のヒートコレクタ５２５や金属細管５２１に電気的に接触すると、回路短絡等の問題が起きるため、スルホール５１５をヒートコレクタ５２５や金属細管５２１と干渉しないように設ける必要があるのに対して、サーマルスルホール５２７は、ヒートコレクタ５２５や金属細管５２１に積極的に接続するように設けられるという違いがある。
【０１０８】
このように、サーマルスルホール５２７により、サーマルパッド５２６と、プリント配線板５００の内部のヒートコレクタ５２５および金属細管５２１とを熱的に結合することによって、サーマルパッド５２６上に実装された電子部品Ｅからの発熱が、サーマルパッド５２６に伝わると、この熱がサーマルパッド５２６下の絶縁層や、サーマルパッド５２６に接続されるサーマルスルホール５２７に伝達される。そして、サーマルスルホール５２７に接続されるヒートコレクタ５２５や金属細管５２１に伝達され、効率よく熱を外部へ放出できる。
【０１０９】
［実施形態８］
次に、プリント配線板にヒートシンクを設ける例について説明する（実施形態８）。この実施形態８は、上記実施形態７で述べたプリント配線板にヒートシンクを設けた例について説明することとし、上記実施形態７と同じ構成による部分には同じ符号を付して説明する（図１６参照）。図１７は、完成状態のプリント配線板の断面図である。図１７では、プリント配線板のレジスト、シルク印刷等は図示を省略している。
【０１１０】
図１７に示すように、プリント配線板５００´の部品搭載部Ａには、上記実施形態７で述べたサーマルパッド５２６を介して電子部品Ｅが搭載されている。サーマルパッド５２６は、例えば銅箔で形成されており、電子部品Ｅが搭載される部品搭載部Ａに設けられている。プリント配線板５００´（内層コア材５１１´）の内部には、金属細管５２１と、上記実施形態６で述べたヒートコレクタ５２５が設けられている。ヒートコレクタ５２５は、隣り合う２つの金属細管５２１を繋ぐように設けられている。なお、上記実施形態７と同様に、サーマルスルホールを形成し、サーマルスルホールを介して、電子部品Ｅが搭載されるサーマルパッド５２６と、ヒートコレクタ５２５および金属細管５２１とを熱的に結合するようにしてもよい（図１６参照）。
【０１１１】
プリント配線板５００´の電子部品Ｅ上にはヒートシンク５２８が設けられている。プリント配線板５００´には、ヒートシンク５２８の取り付け脚５２９が挿入される取り付け穴５１６が形成されている。ヒートシンク５２８の取り付け脚５２９は、プリント配線板５００´の取り付け穴５１６に挿入され、シリコン樹脂や導電性ペースト、接着剤、半田等の熱伝導性の高い材料を用いてプリント配線板５００´に固定される。このように、プリント配線板５００´にヒートシンク５２８を設けることで、プリント配線板５００´の表面からも電子部品Ｅの熱を逃がすことができる。なお、ヒートシンク５２８の取り付け脚５２９を、上記実施形態７におけるサーマルスルホール（図１６参照）に挿入し、半田等で固定してもよく、この場合には、さらに効率よく熱を外部へ放出できる。
【０１１２】
［実施形態９］
次に、プリント配線板の金属細管に電気防蝕を施した例について説明する（実施形態９）。この実施形態９は、上記実施形態１で述べた金属細管を電気防蝕する例について説明することとし、上記実施形態１と同じ構成による部分には同じ符号を付して説明する（図１〜図８参照）。
【０１１３】
金属細管２１の内壁の電気防蝕は、プリント配線板１０（内層コア材１１）の内部の金属細管２１に電極を接続し、金属細管に適当な電位を与えることによって行われる。上記実施形態６で述べたように、プリント配線板（内層コア材）の内部の金属細管に電気的に接続する金属層（ヒートコレクタ）を設ける場合には、ヒートコレクタに電極を接続してもよい。
【０１１４】
プリント配線板１０の金属細管２１の腐蝕を防ぐ方法としては、上記実施形態１、２等で述べたように、防錆メッキを施すのが一般的な方法である。ところが、銅等の熱伝導性の高い材料で金属細管２１（金属層２３）を形成しても、防錆皮膜の材料としてクロムやニッケルを用いると熱伝導を却って妨げてしまう。この例では、プリント配線板１０の金属細管２１を電気防蝕することで、金属細管２１の熱伝導性を悪化させないようにしている。
【０１１５】
［実施形態１０］
次に、プリント配線板の金属細管の断面形状の変形例について、図１８を用いて説明する（実施形態１０）。上記実施形態１〜９では、プリント配線板（内層コア材）の内部に設けられる金属細管の断面形状を、角の部分を丸めた矩形としているが（図７等参照）、この形状に限定されるものではない。例えば、金属細管の断面形状を、円形、楕円形、長円形、矩形、菱形、台形、三角形、もしくはこれら各形状の角の部分を丸めた形状、または前記各形状を組み合わせた形状としてもよい。
【０１１６】
図１８（ａ）〜（ｈ）に示すように、金属細管の断面形状は、絶縁樹脂板に金属細管となる溝を形成する際、その溝の形状を変更することによって、種々に変えることができる。図１８（ａ）に示す金属細管６２１ａは断面略円形であり、プリント配線板（内層コア材）の内部に金属細管６２１ａがパイプ状に形成される。図１８（ｂ）に示す断面略正方形の金属細管６２１ｂ、図１７（ｃ）に示す断面略長方形の金属細管６２１ｃ、図１８（ｄ）に示す断面略菱形の金属細管６２１ｄは、エンドミルやドリル等で絶縁樹脂板に溝加工をする際に最も簡単に形成できる。図１８（ｅ）に示す断面略楕円形の金属細管６２１ｅ、図１８（ｆ）に示す断面略長方形の金属細管６２１ｆは、電子部品Ｅからの熱をより受け取りやすいように、扁平な形状となっている。図１８（ｇ）に示す断面略台形の金属細管６２１ｇ、図１８（ｈ）に示す断面略三角形の金属細管６２１ｈは、プリント配線板部品搭載面側よりの吸熱効果を大きくすることができる。
【図面の簡単な説明】
【０１１７】
【図１】本発明を適用するプリント配線板の実施形態１を示す図である。
【図２】開口部を表面に設けたプリント配線板を示す図である。
【図３】開口部を表面に設けたプリント配線板を示す断面図である。
【図４】外部冷却装置を取り付けたプリント配線板の冷却システムを模式的に示した図である。
【図５】溝が形成された絶縁性樹脂を示す斜視図である。
【図６】２枚の絶縁樹脂板を積層接着して形成した内層コア材を示す断面図である。
【図７】パネルメッキ処理を施した内層コア材を示す断面図である。
【図８】溝および貫通穴が形成された絶縁性樹脂を示す断面図である。
【図９】細長い貫通穴が形成された絶縁樹脂板を示す図である。
【図１０】３枚の絶縁樹脂板を積層楔着して形成した内層コア材を示す断面図である。
【図１１】多層配線板を示す断面図である。
【図１２】金属細管を示す断面図である。
【図１３】溝に銅メッキと防錆用のコーティングを施した絶縁樹脂板を示す断面図である。
【図１４】表面に金属層を形成した絶縁樹脂板を示す斜視図である。
【図１５】内部に金属層が設けられた内層コア材を示す断面図である。
【図１６】完成状態のプリント配線板を示す断面図である。
【図１７】ヒートシンクを取り付けたプリント配線板を示す断面図である。
【図１８】プリント配線板の金属細管の断面形状の変形例を示す図である。
【符号の説明】
【０１１８】
１０    プリント配線板
１１    内層コア材
１１ａ、１１ｂ  絶縁樹脂板
２１    金属細管
２１ａ、２１ｂ  溝
２２    開口部
【図１】
2006041025.tif 000003
【図２】
2006041025.tif 000004
【図３】
2006041025.tif 000005
【図４】
2006041025.tif 000006
【図５】
2006041025.tif 000007
【図６】
2006041025.tif 000008
【図７】
2006041025.tif 000009
【図８】
2006041025.tif 000010
【図９】
2006041025.tif 000011
【図１０】
2006041025.tif 000012
【図１１】
2006041025.tif 000013
【図１２】
2006041025.tif 000014
【図１３】
2006041025.tif 000015
【図１４】
2006041025.tif 000016
【図１５】
2006041025.tif 000017
【図１６】
2006041025.tif 000018
【図１７】
2006041025.tif 000019
【図１８】
2006041025.tif 000020